(57)【要約】【目的】  縦配置及び横配置のいずれでも良好にステレオ音声を楽しむことができる携帯端末を提供する。【構成】  携帯端末２には３つのスピーカＳＰ１，ＳＰ２，ＳＰ３が設けられている。携帯端末２の縦配置状態では上辺部の右隅にスピーカＳＰ１が位置し、これと水平に左隅にスピーカＳＰ２が位置する。また、携帯端末２の横配置状態では下辺部の右隅にスピーカＳＰ１が位置し、これと水平に左隅にスピーカＳＰ３が位置する。ＣＰＵ２０９は、縦画面モードでは、スピーカＳＰ２にて左（Ｌ）音声が出力されるようにスイッチ２０３に切替信号を与え、横画面モードでは、スピーカＳＰ３にて左（Ｌ）音声が出力されるようにスイッチ２０３に切替信号を与える。スピーカＳＰ１からは常に右（Ｒ）音声が出力される。【選択図】      図２
2005244307.tif 000002
【特許請求の範囲】
【請求項１】
ディスプレイを備え、縦画面での画像表示及び横画面での画像表示が可能に構成された携帯端末において、少なくとも第１スピーカと第２スピーカと第３スピーカとを備え、当該携帯端末の縦向き状態では水平方向に並ぶ第１スピーカと第２スピーカとからステレオ音声出力がなされ、当該携帯端末の横向き状態では水平方向に並ぶ第１スピーカと第３スピーカとからステレオ音声出力がなされるように構成されたことを特徴とする携帯端末。
【請求項２】
請求項１に記載の携帯端末において、第１スピーカは、当該携帯端末の縦向き状態及び横向き状態のいずれにおいても右音声又は左音声を常に出力することを特徴とする携帯端末。
【発明の詳細な説明】
【技術分野】
【０００１】
この発明は、携帯電話やＰＤＡなどの携帯端末に関する。
【背景技術】
【０００２】
従来より、ディスプレイを備え、縦画面での画像表示及び横画面での画像表示が可能に構成された携帯端末が知られている（特許文献１参照）。かかる携帯端末においては、二つのスピーカを備え、縦画面での画像表示及び横画面での画像表示のいずれにおいてもステレオ音声が楽しめるようにしている。
【特許文献１】特開２００１−３３９４９５号公報
【発明の開示】
【発明が解決しようとする課題】
【０００３】
しかしながら、上記特許文献の携帯端末では、二つのスピーカが斜め配置となるため、ステレオ音声が十分に活かされない。
【０００４】
この発明は、上記事情に鑑み、縦配置及び横配置のいずれでも良好にステレオ音声を楽しむことができる携帯端末を提供することを目的とする。
【課題を解決するための手段】
【０００５】
この発明の携帯端末は、上記の課題を解決するために、ディスプレイを備え、縦画面での画像表示及び横画面での画像表示が可能に構成された携帯端末において、少なくとも第１スピーカと第２スピーカと第３スピーカとを備え、当該携帯端末の縦向き状態では水平方向に並ぶ第１スピーカと第２スピーカとからステレオ音声出力がなされ、当該携帯端末の横向き状態では水平方向に並ぶ第１スピーカと第３スピーカとからステレオ音声出力がなされるように構成されたことを特徴とする。
【０００６】
上記の構成であれば、縦配置及び横配置のいずれでも水平方向に並ぶスピーカから音声出力がなされるので、良好にステレオ音声を楽しむことができる。
【０００７】
第１スピーカは、当該携帯端末の縦向き状態及び横向き状態のいずれにおいても右音声又は左音声を常に出力するのがよい。これによれば、縦向き用と横向き用とでのスピーカ切替のための構成が簡略化できる。
【発明の効果】
【０００８】
この発明によれば、縦配置及び横配置のいずれでも水平方向に並ぶスピーカから音声出力がなされるので、良好にステレオ音声を楽しむことができる。また、第１スピーカが当該携帯端末の縦向き状態及び横向き状態のいずれにおいても右音声又は左音声を常に出力する構成であれば、縦向き用と横向き用とでのスピーカ切替のための構成が簡略化できる。
【発明を実施するための最良の形態】
【０００９】
以下、この発明の実施形態を図１及び図２に基づいて説明する。
【００１０】
図１はこの実施形態の携帯端末の外観を示した斜視図であり、図２は携帯端末のブロック図である。
【００１１】
携帯端末２は、図１（ａ）（ｂ）に示しているように、例えば偏平方形状を有するＰＤＡとされている。そして、この携帯端末２には３つのスピーカＳＰ１，ＳＰ２，ＳＰ３が設けられている。携帯端末２の縦配置状態では上辺部の右隅にスピーカＳＰ１が位置し、これと水平に左隅にスピーカＳＰ２が位置する。また、携帯端末２の横配置状態では下辺部の右隅にスピーカＳＰ１が位置し、これと水平に左隅にスピーカＳＰ３が位置する。
【００１２】
図２に示すように、携帯端末２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。なお，この実施形態では符号化映像・音声データはＭＰＥＧ４データであるとする。
【００１３】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１４】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、地上ディジタル放送から取得した番組情報によるＥＰＧ画面、電子メールの内容である文字等等）を液晶表示パネル２０２に表示するＯＳＤ（オンスクリーンディスプレイ）処理も行う。更に、グラフィックスコントローラ２０５は、縦画面表示と横画面表示のいずれの処理も可能に構成されている。縦画面表示と横画面表示は画像を９０°回転させることで実現される。ＳＤＲＡＭ２１０は、ＭＰＥＧ４ビデオデコーダ２０４の上記処理において利用される。オーディオデコーダ２０６は、ビットストリーム中の音声符号データを復号してステレオ音声データを生成する。
【００１５】
ＬＣＤコントローラ２０７は、グラフィックスコントローラ２０５から供給された映像データに基づいて液晶表示パネル２０２を駆動する。また、ＬＣＤコントローラ２０７は、ＣＰＵ２０９から与えられるコントラスト情報及び輝度情報に基づいてコントラスト設定及び輝度設定を行う。Ｄ／Ａ変換器２０８は、オーディオデコーダ２０６から出力されたステレオ音声データを受け取ってＤ／Ａ変換を行い、右（Ｒ）音のアナログ信号及び左（Ｌ）音のアナログ信号を生成する。右（Ｒ）音のアナログ信号は常にスピーカＳＰ１に供給される。一方、左（Ｌ）音のアナログ信号はスイッチ２０３を介してスピーカＳＰ２又はスピーカＳＰ３に供給される。この音声出力スピーカの切替については後述する。
【００１６】
本体キー２１４（タッチパネルを含む）は視聴に関する操作ボタン（記録、再生、ポーズ、ストップ、送り）やカーソルキー２１４ａ等から成る。この本体キー２１４に対する操作情報は、インターフェイス２１５及びシステムバス２１３を介してＣＰＵ２０９に与えられる。ＣＰＵ２０９は上記操作情報に基づいて必要な処理を実行する。なお、カーソルキー２１４ａは４つの操作ポイントを有しており、図において各操作ポイントにはそれぞれａ，ｂ，ｃ，ｄの符号を付記している。
【００１７】
また、近距離無線ネットワークを可能にするために、通信ブロック（無線ＬＡＮブロック等）２１６及びインターフェイス２１７が設けられている。更に、ＦｌａｓｈＲＯＭ２１８やＳＤＲＡＭ２１９も備える。後述する画面縦横設定等の各種設定情報は例えばＦｌａｓｈＲＯＭ２１８に格納されている。電池２２１は二次電池であり、図示しない充電器から電力の供給を得てこれを蓄える。携帯電話部２３１は通常の電話のために用いることとしている。
【００１８】
ＣＰＵ２０９は、無線ネットワークのための処理、スロット２０１にＰＨＳデータカード４によるデータ送受信（インターネット接続処理、電子メール送受信など）、受信データに基づく各機能部の制御、ＦｌａｓｈＲＯＭ２１８やＳＤＲＡＭ２１９のリード／ライト制御なども行うようになっている。更に、画面縦横設定情報に基づいて画面表示の縦横変更指示をグラフィックスコントローラ２０５に与えたり、スピーカ切替の指示をスイッチ２０３に与える。
【００１９】
また、グラフィックスコントローラ２０５は、放送受信映像の画面サイズを縮小する処理（スケーリング処理）を行うことができ、この画面サイズ変更による画面余部にデータ放送部分やメッセージが表示されるように、サイズ変更画面（動画プレーン）の生成及び静止画プレーンの生成を行う。また、グラフィックスコントローラ２０５は、放送受信映像上にウィンドを表示し、このウィンド内にメッセージを表示する処理を行うこともできる。
【００２０】
本体キー２１４に設けた録画キーの押下信号、或いは、メニュー画面上からの録画指令を受けたＣＰＵ２０９は、受信中の番組のデータをメモリカード３に記録する処理を実行する。また、本体キー２１４に設けた再生キーの押下信号、或いは、メニュー画面上からの再生指令を受けたＣＰＵ２０９は、メモリカード３から読み出したデータをバス２１３を介してＭＰＥＧ４ビデオデコーダ２０４に供給し、ＬＣＤパネル２０２上に映像を表示する。
【００２１】
次に、画面の縦横表示切替及びスピーカ切替について説明していく。
（１）  メニュー画面上で「設定」項目が選択されると、各種設定項目が表示される。この項目のなかの「画面設定」で縦画面を選択すると、縦状態のＬＣＤパネル２０２に対して適正向きで画像が表示されるように処理を実行するモードとなり、横画面を選択すると、横状態のＬＣＤパネル２０２に対して適正向きで画像が表示されるように処理を実行するモードとなる。また、カーソルキー２１４ａの操作に対する画面上のカーソル移動方向は、縦画面と横画面とで異なるように処理している。すなわち、ＣＰＵ２０９は、図１（ａ）の状態で操作ポイントｃの押下を検出すると、カーソルを下方に移動させる処理を実行する一方、図１（ｂ）の状態で操作ポイントｂの押下を検出すると、カーソルを下方に移動させる処理を実行する。
（２）  ＣＰＵ２０９は、縦画面モードが選択されているときには、スピーカＳＰ２にて左（Ｌ）音声が出力されるようにスイッチ２０３に切替信号を与え、横画面モードが選択されているときには、スピーカＳＰ３にて左（Ｌ）音声が出力されるようにスイッチ２０３に切替信号を与える。スピーカＳＰ１からは常に右（Ｒ）音声が出力される。
【００２２】
上記のごとく、携帯端末２の縦画面モード及び横画面モードのいずれでも水平方向に並ぶスピーカから音声出力がなされるので、良好にステレオ音声を楽しむことができる。
【００２３】
また、上記実施形態においては、スピーカＳＰ１は、当該携帯端末２の縦画面モード及び横画面モードのいずれにおいても右（Ｒ）音声を常に出力する構成となっているため、縦画面モードと横画面モードの切替においてスピーカＳＰ２とスピーカＳＰ３に対してのみ切替処理を行えばよく、スピーカ切替のための構成が簡略化できる。勿論、縦画面モードと横画面モードの切替で３つのスピーカに対して切替が必要となる構成を排除するものではない。また、単に２セットのステレオスピーカ（合計４つのスピーカ）を備える以外の形態での４つ以上のスピーカを備える構成（例えば、センター用スピーカを備える）を採用してもよい。また、上記実施形態では携帯端末２がＰＤＡとして構成された場合を示したが、携帯電話として構成することもできる。折り畳み型の携帯電話においては、ディスプレイが配置されている側の一方構成部に全てのスピーカを配置する構成としてもよいし、或いは、両構成部に渡ってスピーカが配置される構成を採用してもよい。
【図面の簡単な説明】
【００２４】
【図１】この発明の実施形態の携帯端末の外観を示した平面図であり、同図（ａ）は縦向きの図であり、同図（ｂ）は横向きの図である。
【図２】この発明の実施形態の携帯端末の構成を示したブロック図である。
【符号の説明】
【００２５】
２    携帯端末
２０３  スイッチ
２０２  ＬＣＤパネル
２０５  グラフィックスコントローラ
２０７  ＬＣＤコントローラ
２０９  ＣＰＵ
ＳＰ１  スピーカ
ＳＰ２  スピーカ
ＳＰ３  スピーカ
【図１】
2005244307.tif 000003
【図２】
2005244307.tif 000004